(57)【特許請求の範囲】
【請求項１】
脹脛マッサージ器の基台１は，枠板２，２Ａをネジ２８で固着して形成されており，そして対向する枠板２の内側側面はＬ字型に形成され，枠板２中間部前方向Ｙ内側側面にガイド溝３を設け，右端部にスプリング１４装着用のフック部２６Ａを設けており，また中間部後方向Ｚには，支持板装着用凹部２０と，座椅子固着用凹部２３を設けており，さらに低部には，後記されているローラー体１１，１１Ａ，１１Ｂ，１１Ｃの先端部の歯車１３用，波形ガイド溝３Ａを設けており，さらにまた，ガイド溝３に設けているガイド板４には，右端部にスプリング１４装着用のフック部２６と，側面にローラー体１１の回転軸１２装着用のベアリング１５を，ベアリング固着部１６に固着しており，さらに半球状凸部２１を設けた足裏板５の回転軸６装着用の装着用凹部８を設けた足裏板支持軸７を一体化して設けており，またローラー体１１，１１Ａ，１１Ｂ，１１Ｃを設けるローラー体支持軸９は，板状の二本の平行する先端部に支持板用装着部１０と，側面にベアリング固着部１６Ａ，１６Ｂ，１６Ｃ，１６Ｄを設け，ベアリング１５Ａ，１５Ｂ，１１５Ｃ，１５Ｄを固着しており，また前記足裏板支持軸７の装着用凹部８に回転軸６を装着し，側面のベアリング１５には，ローラー体１１，１１Ａ，１１Ｂ，１１Ｃの円周表面に半球状凸部２１Ａ，２１Ｂ，２１Ｃ，２１Ｄと，左右先端部に回転軸１２，１２Ａ，１２Ｂ，１２Ｃと，歯車１３，１３Ａ，１３Ｂ，１３Ｃを設けたローラー対１１Ａ，１１Ｂ，１１Ｃの回転軸１２を，前記ローラー体支持軸９側面のベアリング１５Ａを介して足裏板５と連動するガイド板４側面のベアリング１５に装着しており，そして他の回転軸１２Ａ，１２Ｂ，１２Ｃはローラー体支持軸９側面のベアリング１５Ｂ，１５Ｃ，１５Ｄの順に装着しており，またさらに，スプリング１４の左右先端部に装着用リング２７，２７Ａを設け，カイド溝３右端部のフック部２６Ａに装着用リング２７Ａを脱着自在に装着し，さらにカイド板４右端部のフック部２６にも装着用リング２７を同様に装着しており，また、上部先端部に支持軸用装着部１８と，下部に回転軸１９を設けたローラー体支持板１７の回転軸１９を前記支持板装着凹部２０に装着し，そして，前記ローラー体支持軸９先端部の支持板用装着部１０と，支持軸用装着部１８を回転自在に装着しており，また背もたれ２５に肘掛２４を上部方向回転自在にネジ２８Ｂで装着した座椅子２２を，前記座椅子固着用凹部２３に固着しており，上述のようにスプリング１４の伸縮作用で足裏板５に足裏を当て屈伸運動することにより先端部ローラー体１１の先端部歯車１３が波形ガイド溝３Ａを介して前後に回転するとき，ローラー体１１，１１Ａ，１１Ｂ，１１Ｃが同時に連動回転するよう設けたことを特徴とする脹脛マッサージ器。
【請求項２】
スプリング１４の左右先端部に装着用リング２７，２７Ａを設け，ガイド溝３右端部のフック部２６Ａに装着用リング２７Ａを脱着自在に装着しており，さらに，ガイド溝３に設けているガイド板４右端部のフック部２６にも同様に装着リング２７を装着しており，そしてローラー体１１先端部の回転軸１２を，ローラー体支持軸９側面のベアリング１５Ａを介してガイド板４側面のベアリング１５に装着されており，さらにスプリング１４の伸縮作用により，ローラー体支持板１７先端部の支持軸用装着部１８と，ローラー体支持軸９先端部の支持板用装着部１０を，回転自在にネジ２８Ａで装着することにより，ローラー体１１，１１Ａ，１１Ｂ，１１Ｃを設けたローラー体支持軸９と，ローラー体支持板で，上部方向山型形状になるよう設けられていることを特徴とする請求項１記載の脹脛マッサージ器。
【請求項３】
足裏板支持軸７の上部に足裏板５装着用凹部８を設けており，さらに足裏板５の回転軸６も足裏板５の上部に設けており，そして，前記装着用凹部８に前記回転軸６を回転自在に装着しており，その結果，足裏板５は回転自在で、且つ，上下方向直線状を常に保つことができる。また，足裏板５には，ＺからＹ方向の表面に半球状凸部２１を設けており，さらに，Ｌ字型の底部に設けられている歯車１３用の波形ガイド溝３Ａの位置は，ローラー体１１左右先端部の回転軸１２をローラー体支持軸９側面のベアリング１５Ａ介して，足裏板５と連動するガイド板４側面のベアリング１５に装着した状態で，歯車１３が円滑に回転できる位置に設けており，さらに，先端部歯車１３が波形ガイド溝３Ａを介して前方向Ｙ先端部まで回転したとき、同時に連動回転する歯車１３Ａ，１３Ｂ，１３Ｃが横一直線状になつたとき，波形ガイド溝３Ａに接触しないよう先端部歯車１３の直径は前記歯車１３Ａ，１３Ｂ，１３Ｃの直径より大きく設けることで防止しており，さらに，対向するローラー体１１，１１Ａ，１１Ｂ，１１Ｃの周囲表面に設けられている半球状凸部２１Ａ，２１Ｂ，２１Ｃ，２１Ｄも接触しないサイズに設けられている脹脛マッサージ器は，歯車１１，１１Ａ，１１Ｂ，１１Ｃを噛合わせることにより半球状凸部２１Ａ，２１Ｂ，２１Ｃ，２１Ｄを設けたローラー体１１，１１Ａ，１１Ｂ，１１Ｃ体が同時に同じ方向に回転しないよう設けており，その結果，スプリング１４の伸縮作用で先端部歯車１３が波形ガイド溝３Ａを介して前方向Ｙに回転するとき，先端部歯車１３と，歯車１３Ｂは左回転する。そして歯車１３Ａと，歯車１３Ｃは時計回りの右回転する。さらに，後方向Ｚ回転のときは，前記方向と正反対に回転するよう設けたことにより，脹脛に手揉み感覚のマッサージ効果を発揮することを特徴とする請求項１又は２記載の脹脛マッサージ器。
【発明の詳細な説明】
【技術分野】
【０００１】本発明は，自力で足裏や脹脛にマッサージ効果を発揮することができる脹脛マッサージ器に関する。
【背景技術】
【０００２】従来の器具は，座席に臀部を置き足裏板に足裏を当て屈伸運動をするだけであった。【０００３】また，前後に連動回転するローラー本体の表面に半球状凸部を設け，足の屈伸運動により脹脛にマッサージ効果を発揮するものはなかった。
【発明の開示】
【発明が解決しようとする課題】
【０００４】
【０００５】  以上述べたように従来は器具の座席に臀部を置き前方の足裏板に足裏を当て，屈伸運動をするだけであった。【０００６】本発明は，このような従来の器具の構成が有していた問題点を解決しようとするものである。半球状凸部を足裏板の表面と，ローラー体の円周表面に設けることにより，スプリングの伸縮作用で，足裏板に足裏当て屈伸運動することにより連動回転する歯車の回転方向が一方方向にはならず前後回転するため，足裏のツボ及び，脹脛に手揉み感覚のマッサージ効果を発揮することができる。さらに，スプリングは使用者の体力に合わせて取り替えることができる脹脛マッサージ器を実現することを目的とするものである。
【課題を解決する手段】
【０００７】上記問題点を解決するために本発明の脹脛マッサージ器の基台１は，枠板２，２Ａをネジ２８で固着して形成されている。そして対向する枠板２の内側側面はＬ字型に形成され，枠板２中間部前方向Ｙ内側側面にガイド溝３を設け，右端部にスプリング１４装着用のフック部２６Ａを設けている。また中間部後方向Ｚには，支持板装着用凹部２０と，座椅子固着用凹部２３を設けている。さらに低部には，後記されているローラー体１１，１１Ａ，１１Ｂ，１１Ｃの先端部の歯車１３用，波形ガイド溝３Ａを設けている。さらにまた，ガイド溝３に設けているガイド板４には，右端部にスプリング１４装着用のフック部２６と，側面にローラー体１１の回転軸１２装着用のベアリング１５を，ベアリング固着部１６に固着している。さらに半球状凸部２１を設けた足裏板５の回転軸６装着用の装着用凹部８を設けた足裏板支持軸７を一体化して設けている。またローラー体１１，１１Ａ，１１Ｂ，１１Ｃを設けるローラー体支持軸９は，板状の二本の平行する先端部に支持板用装着部１０と，側面にベアリング固着部１６Ａ，１６Ｂ，１６Ｃ，１６Ｄを設け，ベアリング１５Ａ，１５Ｂ，１１５Ｃ，１５Ｄを固着している。また前記足裏板支持軸７の装着用凹部８に回転軸６を装着し，側面のベアリング１５には，ローラー体１１，１１Ａ，１１Ｂ，１１Ｃの円周表面に半球状凸部２１Ａ，２１Ｂ，２１Ｃ，２１Ｄと，左右先端部に回転軸１２，１２Ａ，１２Ｂ，１２Ｃと，歯車１３，１３Ａ，１３Ｂ，１３Ｃを設けたローラー体１１Ａ，１１Ｂ，１１Ｃの回転軸１２を，前記ローラー体支持軸９側面のベアリング１５Ａを介して足裏板５と連動するガイド板４側面のベアリング１５に装着している。そして他の回転軸１２Ａ，１２Ｂ，１２Ｃはローラー体支持軸９側面のベアリング１５Ｂ，１５Ｃ，１５Ｄの順に装着している。またさらに，スプリング１４の左右先端部に装着用リング２７，２７Ａを設け，カイド溝３右端部のフック部２６Ａに装着用リング２７Ａを脱着自在に装着し，さらにカイド板４右端部のフック部２６にも装着用リング２７を同様に装着している。また、上部先端部に支持軸用装着部１８と，下部に回転軸１９を設けたローラー体支持板１７の回転軸１９を前記支持板装着凹部２０に装着し，そして，前記ローラー体支持軸９先端部の支持板用装着部１０と，支持軸用装着部１８を回転自在に装着している。また背もたれ２５に肘掛２４を上部方向回転自在にネジ２８Ｂで装着した座椅子２２を，前記座椅子固着用凹部２３に固着している。上述のようにスプリング１４の伸縮作用で足裏板５に足裏を当て屈伸運動することにより先端部ローラー体１１の先端部歯車１３が波形ガイド溝３Ａを介して前後に回転するとき，ローラー体１１，１１Ａ，１１Ｂ，１１Ｃが同時に連動回転するよう設けている。
【０００８】  また，スプリング１４の左右先端部に装着用リング２７，２７Ａを設け，ガイド溝３右端部のフック部２６Ａに装着用リング２７Ａを脱着自在に装着している。さらに，ガイド溝３に設けているガイド板４右端部のフック部２６にも同様に装着リング２７を装着している。そしてローラー体１１先端部の回転軸１２を，ローラー体支持軸９側面のベアリング１５Ａを介してガイド板４側面のベアリング１５に装着されている。さらにスプリング１４の伸縮作用により，ローラー体支持板１７先端部の支持軸用装着部１８と，ローラー体支持軸９先端部の支持板用装着部１０を，回転自在にネジ２８Ａで装着することにより，ローラー体１１，１１Ａ，１１Ｂ，１１Ｃを設けたローラー体支持軸９と，ローラー体支持板で，上部方向山型形状になるよう設けられている。
【０００９】  さらに，足裏板支持軸７の上部に足裏板５装着用凹部８を設けている。さらに足裏板５の回転軸６も足裏板５の上部に設けている。そして，前記装着用凹部８に前記回転軸６を回転自在に装着している。その結果，足裏板５は回転自在で、且つ，上下方向直線状を常に保つことができる。また，足裏板５には，ＺからＹ方向の表面に半球状凸部２１を設けている。さらに，Ｌ字型の底部に設けられている歯車１３用の波形ガイド溝３Ａの位置は，ローラー体１１左右先端部の回転軸１２をローラー体支持軸９側面のベアリング１５Ａ介して，足裏板５と連動するガイド板４側面のベアリング１５に装着した状態で，歯車１３が円滑に回転できる位置に設けている。さらに，先端部歯車１３が波形ガイド溝３Ａを介して前方向Ｙ先端部まで回転したとき、同時に連動回転する歯車１３Ａ，１３Ｂ，１３Ｃが横一直線状になつたとき，波形ガイド溝３Ａに接触しないよう先端部歯車１３の直径は前記歯車１３Ａ，１３Ｂ，１３Ｃの直径より大きく設けることで防止している。さらに，対向するローラー体１１，１１Ａ，１１Ｂ，１１Ｃの周囲表面に設けられている半球状凸部２１Ａ，２１Ｂ，２１Ｃ，２１Ｄも接触しないサイズに設けられている脹脛マッサージ器は，歯車１１，１１Ａ，１１Ｂ，１１Ｃを噛合わせることにより半球状凸部２１Ａ，２１Ｂ，２１Ｃ，２１Ｄを設けたローラー体１１，１１Ａ，１１Ｂ，１１Ｃ体が同時に同じ方向に回転しないよう設けている。その結果，スプリング１４の伸縮作用で先端部歯車１３が波形ガイド溝３Ａを介して前方向Ｙに回転するとき，先端部歯車１３と，歯車１３Ｂは左回転する。そして歯車１３Ａと，歯車１３Ｃは時計回りの右回転する。さらに，後方向Ｚ回転のときは，前記方向と正反対に回転するよう設けたことにより，脹脛に手揉み感覚のマッサージ効果を発揮する。
【００１０】上記のように構成された本発明の脹脛マッサージ器は，ガイド溝に設けられているガイド板と一体化している足裏板支持軸に足裏板を設け，側面のベアリングに、ローラー体を設けているローラー体先端部の回転軸を，ローラー体支持軸側面のベアリングを介して前記ベアリングに装着している。さらに支持軸用装着部と，支持板用装着部を回転自在に装着していることにより，スプリングの伸縮作用で，ロー体支持軸と，ローラー体支持板で山型形状になるよう設けられている。また足裏板の表面と，ローラー体円周表面に半球状凸部を設けており，座椅子に臀部を置きローラー体先端部の足裏板に足裏を当て屈伸運動を繰り返すことにより，足裏のツボ及び脹脛に手揉み感覚のマッサージ効果を発揮する脹脛マッサージ器である。
【発明の効果】
【００１１】  上述したように本発明は，スプリング伸縮作用により，半球状凸部を足裏板と，ローラー体の円周表面に設けて，足裏板に足裏を当て屈伸運動することにより足裏と，脹脛に容易に手揉み感覚のマッサージ効果を発揮することができる脹脛マッサージ器を提供できる。
【００１２】また、ローラー体を軽量素材のプラスチック等と，さらに，ローラー体回転軸装着部にベアリングを用いることにより回転容易になり虚弱体力者等にも使用できる。
【００１３】さらに、前記足裏板に半球状凸部を設けることにより第二の心臓と言われている、足裏のツボにもマッサージ効果を発揮することができる。
【００１４】また、屈伸運動により，半球状凸部を設けているローラー体は前後に反転をくり返し回転するため手揉み感覚のマッサージ効果を発揮することができる。
【００１５】さらに，スプリングは脱着できるよう設けられており，各使用者の体力に合うスプリングに簡単に交換できる。
【００１６】また，ローラー体に設けられている半球状凸部と，対向する半球状凸部との間隔は，使用中衣服等を巻き込み難いよう考慮して設けられている。
【００１７】また、スプリング以外は，金属を用いなくても製造可能であり，さらに簡潔な構造なので，使用に当って故障の発生が極めて少なく，製造コストも安価で経済的である。
【発明を実施するための最良の形態】
【００１８】  以下、本発明の実施の形態を図１から図８に基づいて説明する。【００１９】実施について説明すると，図１において、本発明の脹脛マッサージ器の基台１は，枠板２，２Ａをネジ２８で固着して形成されている。そして対向する枠板２の内側側面はＬ字型に形成され，枠板２中間部前方向Ｙ内側側面にガイド溝３を設け，右端部にスプリング１４装着用のフック部２６Ａを設けている。また中間部後方向Ｚには，支持板装着用凹部２０と，座椅子固着用凹部２３を設けている。さらに低部には，後記されているローラー体１１，１１Ａ，１１Ｂ，１１Ｃの先端部の歯車１３用，波形ガイド溝３Ａを設けている。さらにまた，ガイド溝３に設けているガイド板４には，右端部にスプリング１４装着用のフック部２６と，側面にローラー体１１の回転軸１２装着用のベアリング１５を，ベアリング固着部１６に固着している。さらに半球状凸部２１を設けた足裏板５の回転軸６装着用の装着用凹部８を設けた足裏板支持軸７を一体化して設けている。またローラー体１１，１１Ａ，１１Ｂ，１１Ｃを設けるローラー体支持軸９は，板状の二本の平行する先端部に支持板用装着部１０と，側面にベアリング固着部１６Ａ，１６Ｂ，１６Ｃ，１６Ｄを設け，ベアリング１５Ａ，１５Ｂ，１５Ｃ，１５Ｄを固着している。また前記足裏板支持軸７の装着用凹部８に回転軸６を装着し，側面のベアリング１５には，ローラー体１１，１１Ａ，１１Ｂ，１１Ｃの円周表面に半球状凸部２１Ａ，２１Ｂ，２１Ｃ，２１Ｄと，左右先端部に回転軸１２，１２Ａ，１２Ｂ，１２Ｃと，歯車１３，１３Ａ，１３Ｂ，１３Ｃを設けたローラー体１１Ａ，１１Ｂ，１１Ｃの回転軸１２を，前記ローラー体支持軸９側面のベアリング１５Ａを介して足裏板５と連動するガイド板４側面のベアリング１５に装着している。そして他の回転軸１２Ａ，１２Ｂ，１２Ｃはローラー体支持軸９側面のベアリング１５Ｂ，１５Ｃ，１５Ｄの順に装着している。またさらに，スプリング１４の左右先端部に装着用リング２７，２７Ａを設け，カイド溝３右端部のフック部２６Ａに装着用リング２７Ａを脱着自在に装着し，さらにカイド板４右端部のフック部２６にも装着用リング２７を同様に装着している。また、上部先端部に支持軸用装着部１８と，下部に回転軸１９を設けたローラー体支持板１７の回転軸１９を前記支持板装着凹部２０に装着し，そして，前記ローラー体支持軸９先端部の支持板用装着部１０と，支持軸用装着部１８を回転自在に装着している。また背もたれ２５に肘掛２４を上部方向回転自在にネジ２８Ｂで装着した座椅子２２を，前記座椅子固着用凹部２３に固着している。上述のようにスプリング１４の伸縮作用で足裏板５に足裏を当て屈伸運動することにより先端部ローラー体１１の先端部歯車１３が波形ガイド溝３Ａを介して前後に回転するとき，ローラー体１１，１１Ａ，１１Ｂ，１１Ｃが同時に連動回転するよう設けている。【００２０】図２は，図１のＡ−Ａ’方向を示す側面断面図である。説明すると，基台１は，枠板２，２Ａで形成されている。枠板２中間部前方向Ｙの内側側面にガイド溝３を設け，右端部にスプリング１４装着用のフック部２６Ａを設けている。また，中間部Ｚ方向に支持板装着用凹部２０と，座���子固着用凹部２３を設けている。そしてローラー体支持板の回転軸１９を前記支持板用凹部２０に装着，さらに，背もたれ２５に肘掛２４を上部方向自在にネジで装着した座椅子２２を座椅子固着用凹部２３に固着している。さらにカイド溝３に設けられているガイド板４に，図解されていないが、足裏板の回転軸の装着用凹部を設けた足裏板支持軸７を一体化して設け，さらに，側面にベアリング固着部１６を設けて，ベアリング１５固着し，さらにまた，右端部にスプリング１４装着用のフック部２６を設けている。そして，スプリング１４の左右先端部に装着用リング２７，２７Ａを設け，前記フック部２６と，後記フック部２６Ａに脱着自在に装着している。【００２１】図３は，図１のＢ−Ｂ’方向を示す側面断面図である。説明すると，基台１は，枠板２，２Ａで形成されている。枠板２中間部前方向Ｙ内側側面にガイド溝３を設け，右端部にスプリング１４装着用のフック２６Ａを設けている。また，枠板２中間部後方向Ｚに支持板装着用凹部２０と、座椅子固着用凹部２３を設け，前記支持板装着用凹部２０に，図解されていないがローラー体支持板１７の回転軸１９を装着。さらに，背もたれ２５に肘掛２４を設けた座椅子２２を座椅子固着用凹部２３に固着している。さらに，ガイド溝３には，半球状凸部２１と，回転軸６を設けた足裏板５の回転軸６の装着用凹部８を設けた足裏板支持軸７を一体化して設けたガイド板４の側面に、図解されていないがベアリング固着部にベアリング固着し，さらに，スプリング１４の左右先端部に装着用リング２７，２７Ａを設けて，前記フック部２６と，後記フック部２６Ａに，脱着自在に装着している。さらに，一部図解されていないが，ローラー体１２，１２Ａ，１２Ｂ，１２Ｃ，設ける板状のローラー体支持軸９側面にベアリング固着部１６，１６Ａ，１６Ｂ，１６Ｃにベアリング１５Ａ，１５Ｂ，１５Ｃ，１５Ｄを固着している。そしてローラー体１１，１１Ａ，１１Ｂ，１１Ｃの円周表面に，半球状凸部２１Ａ，２１Ｂ，２１Ｃ，２１Ｄと，左右先端部に回転軸１２，１２Ａ，１２Ｂ，１２Ｃと，歯車１３，１３Ａ，１３Ｂ，１３Ｃを設けている。そして，先端部ローラー体１１の回転軸１２は前記ローラー体支持軸９側面のベアリング１５Ａを介して，ガイド板４側面のベアリング１５に固着し、他の回転軸１２Ａ，１２Ｂ，１２Ｃはベアリング１５Ｂ，１５Ｃ，１５Ｄの順に装着している。そして支持板用装着部１０と，支持軸用装着部１８を回転自在にネジで装着している。さらにまた，Ｌ字型底部には，ローラー体１１先端部の歯車１３用の波形ガイド溝３Ａを設けている。【００２２】図４は，図１のＣ−Ｃ’方向を示す側面断面図である。説明すると，基台１は，枠板２，２Ａをネジ２８で固着して形成されている。枠板２中間部前方向Ｙ内側側面にガイド溝３を設け，右端部にスプリング１４装着用のフック部２６Ａと，枠板２中間部後方向Ｚに支持板装着用凹部２０と、座椅子固着用凹部２３を設けて，支持板装着用凹部２０にローラー体支持板１７の回転軸１９を回転自在に装着し，さらに，背もたれ２５に肘掛２４を上部方向に自在に回転できるようネジ２８Ｂで装着した座椅子２２を，座椅子固着用凹部２３に固着している。さらに，���イド溝３には，ガイド板４と一体化して設けている足裏板支持軸７に装着用凹部８を設け，半球状凹部２１を設けた足裏板５の回転軸６を回転自在に装着している。さらにまた，右端部にはスプリング１４装着用のフック部２６を設けている。そして，前記スプリング１４の左右先端部に装着用リング２７，２７Ａを設けて，前記フック部２６Ａに装着用リング２７Ａを脱着自在に装着し，後記フック部２７に装着用リング２６を同様に装着している。さらに図解されていないが、図５に示されるように，ローラー体１１の先端部の回転軸１２は，支持軸９側面のベアリング１５Ａを介してガイド板４側面のベアリング１５に装着することにより，足裏板移動と同時にローラー体１１先端部の歯車１３が低部に設けられている波形ガイド溝３Ａを介して回転することにより，歯車１３Ａ，１３Ｂ，１３Ｃも同時に連動回転する。【００２３】図５は，図１のＤ−Ｄ’方向先端部ローラー体の断面と，一部を示す拡大図である。説明すると，基台の対向する枠板２の内側側面はＬ字型に形成され，内側側面にガイド溝３を設けている。さらに，ガイド板４の側面にベアリング固着部１６を設け，ベアリング１５を固着している。またローラー体支持軸９側面にベアリング固着部１６Ａ，１６Ｂを設け，ベアリング１５Ａ，１５Ｂを固着している。さらに，ローラー体支持軸９に設けられるローラー体１１，１１Ａの円周表面に，半球状凸部２１Ａ，２１Ｂと，左右先端部に歯車１３，１３Ａと，回転軸１２，１２Ａを設け，さらに回転軸１２Ａをローラー体支持軸９のベアリング１５Ｂに装着されている。そして回転軸１２は，前記ローラー体支持軸９先端部のベアリング１５Ａを介して，図解されていないが、足裏板支持軸を一体化してもうけているガイド板４側面のベアリング１５に装着している。さらにまた、Ｌ字型の底部には，ローラー体先端部歯車１３用の波型ガイド溝３Ａを設けている。【００２４】  図６は，板状のローラー体支持軸を示す側面図である。説明すると，先端部に支持板用装着部１０と，ローラー体回転軸を装着するためのベアリング固着部１６Ａ，１６Ｂ，１６Ｃ，１６Ｄにベアリング１５Ａ，１５Ｂ，１５Ｃ，１５Ｄを固着したローラー体支持軸９である。【００２５】図７は，図６のベアリング固着部にローラー体を設けた一部断面を示す平面図である。説明すると，板状のローラー支持軸９先端部に支持板用装着部１０と，側面にベアリング固着１６Ａ，１６Ｂ，１６Ｃ，１６Ｄを設け，ベアリング１５Ａ，１５Ｂ，１５Ｃ，１５Ｄを固着している。そして，ローラー体１１，１１Ａ，１１Ｂ，１１Ｃの左右先端部に回転軸１２，１２Ａ，１２Ｂ，１２Ｃと，歯車１３，１３Ａ，１３Ｂ，１３Ｃを設けた回転軸１２，１２Ａ，１２Ｂ，１２Ｃを，ベアリング１５Ａ，１５Ｂ，１５Ｃ，１５Ｄに装着している。【００２６】図８は，足裏板を足裏板支持軸に設けた一部分を示す拡大図である。説明すると、図解されていないが，カイド板と一体化して設けられている足裏板支持軸７の上部に装着用凹８を設け，さらに，足裏板５の回転軸６も足裏板５の上部に設けて前記装着用凹部８に回転自在に装着されている。【００２７】上記のように構成されている脹脛マッサージ器は，スプリングの伸縮��用により，ローラー体支持軸と，ローラー体支持板で，山型形状するよう設けられている。使用者が座椅子に臀部を置き，先端部の足裏板に足裏を当て屈伸運動を繰り返して使用でき，さらに使用者の体力に合わせてスプリングの交換が簡単にできる脹脛マッサージ器である。【００２８】全体の材料は，座椅子やスプリング等は除外するが，金属製や木製等の材料を用うることもできるが，加工や経済性を考慮すると，金型等を用いて安価に制作加工できるプラスチック等か好ましい。【００２９】また、ローラー体の回転軸を装着して設けるローラー体支持軸の形状は安全性を考慮して，波形ガイド溝を介して先端部歯車が円滑に回転できる範囲で歯車全体をカバーできる形状に設けることが好ましい。【００３０】また、設けられるローラー体の数は先端部歯車が円滑に回転出来る範囲で有れば良く限定しない。【００３１】また，枠板左端部と，ガイド板左端部の間隔を適宜に設けて，スプリングを用いず，オイルダンパーを用いることもできるが，経済性を考慮するとスプリングを用いることが好ましい。【００３２】また，ローラー体支持板の表面に半球状凸部を設けても良い。【００３３】また，ローラー体支持軸を上部方向に適宜な弓なり状に設けても良い。【００３４】また，足裏板やローラー体円周表面に設けられる半球状凸部は異なるサイズを設けても良く，また設ける数は限定しない。【００３５】また，内側側面に設けられるガイド溝と，ガイド板の形状は円滑に移動可能で有れば良く限定しない。
【図面の簡単な説明】
【００３６】  図１においては，本発明の脹脛マッサージ器の実施形態を示す平面図である。【００３７】  図２は，図１のＡ−Ａ‘方向を示す側面断面図である。【００３８】  図３は，図１のＢ−Ｂ’方向を示す側面断面図である。【００３９】  図４は，図１のＣ−Ｃ’方向を示す側面断面図である。【００４０】  図５は，図１のＤ−Ｄ’方向先端部ローラー体の断面と，一部を示す拡大図である。【００４１】  図６は，ローラー体支持軸を示す側面図である。【００４２】  図７は，図６のベアリング固着部にローラー体を設けた一部断面を示す平面図である。【００４３】  図８は，足裏板を足裏板支持軸に設けた一部分を示す拡大図である。
【符号の説明】
【００４４】基台                    １
枠板                    ２，２Ａ
ガイド溝                ３，３Ａ
ガイド板                ４
足裏板                  ５
回転軸                  ６
足裏板支持軸            ７
装着用凹部              ８
ローラー体支持軸        ９
支持板用装着部          １０
ローラー体              １１，１１Ａ，１１Ｂ，１１Ｃ
回転軸                  １２，１２Ａ，１２Ｂ，１２Ｃ
歯車                    １３，１３Ａ，１３Ｂ，１３Ｃ
スプリング              １４
ベアリング              １５，１５Ａ，１５Ｂ，１５Ｃ，１５Ｄ
ベアリング固着部        １６．１６Ａ，１６Ｂ，１６Ｃ，１６Ｄ
ローラー体支持板        １７
支持軸用装着部          １８
回転軸                  １９
支持板装着用凹部        ２０
半球状凸部              ２１，２１Ａ，２１Ｂ，２１Ｃ，２１Ｄ
座椅子                  ２２
座椅子固着用凹部        ２３
肘掛                    ２４
背もたれ                ２５
フック部                ２６，２６Ａ
装着用リング            ２７，２７Ａ
ネジ                    ２８，２８Ａ，２８Ｂ
方向                    Ａ−Ａ’，Ｂ−Ｂ’，Ｃ−Ｃ’，Ｄ−Ｄ’，Ｙ−Ｚ
【要約】
【課題】体力に合わせて使用でき，さらに，脹脛に手揉み感覚のマッサージ効果を発揮できること。
【解決手段】足裏及び脹脛に手揉み感覚のマッサージ効果を発揮できるよう足裏板表面と、ローラー体円周表面に適宜な凸部を設ける。さらに，ローラー本体をプラスチック等の軽量素材を使用すると共に、回転部分にベアリング等を用いることにより容易に回転可能となる，さらにまた、使用者各自の体力等に対応したスプリングに簡単に交換ができるよう構成された脹脛マッサージ器を提供できる。
【選択図】図１【図１】
0004116667.tif 000002
【図２】
0004116667.tif 000003
【図３】
0004116667.tif 000004
【図４】
0004116667.tif 000005
【図５】
0004116667.tif 000006
【図６】
0004116667.tif 000007
【図７】
0004116667.tif 000008
【図８】
0004116667.tif 000009